(57)【特許請求の範囲】
【請求項１】
足の底面に配置される、立位時での足部主動筋及び足部骨格ユニットの改善用具において、
足の第１中足骨の遠位部から第５中足骨の遠位部までを足幅方向に沿って横切る第１の弧状線と、踵骨の遠位部を足幅方向に沿って横切る第２の弧状線とで囲まれた領域に対面する部分を、地面から当該領域に向かって膨出させ、
足根中足関節近傍を足幅方向に沿って横切る第３の弧状線と、横足根関節近傍を足幅方向に沿って横切る第４の弧状線とで囲まれた領域に対面する部分を、他の部分よりも膨出させた形状とし、当該部分を、平坦面で、且つ、前記膨出形状の最膨出面とし、
前記膨出形状における前記第１の弧状線に沿った方向に直交する方向の断面形状を、断面の位置に関わらず当該膨出形状と同一形状に形成することで、着用者が本改善用具に足を乗せた場合に、当該着用者の足の立方骨近傍の底面における地面からの高さを、当該足の小指の腹部分、薬指の腹部分が地面に当接する高さに挙上して、前記足の外側縦アーチの骨格ユニットを屈曲状態とし、前記足の薬指、小指の使用を促す
ことを特徴とする改善用具。
【請求項２】
前記膨出形状の最底面から最膨出面までの高さが、足の立方骨近傍の底面における地面からの高さを１．０ｍｍ−５．０ｍｍの範囲内の高さに挙上する高さである
請求項１に記載の改善用具。
【請求項３】
請求項１又は２に記載の改善用具を備えた靴下。
【請求項４】
請求項１又は２に記載の改善用具を備えたサポーター。
【請求項５】
請求項１又は２に記載の改善用具を備えた足袋。
【請求項６】
請求項１又は２に記載の改善用具を備えた靴中敷き。
【請求項７】
請求項１又は２に記載の改善用具を備えた靴。
【発明の詳細な説明】
【技術分野】
【０００１】
本発明は、足ユニットの改善用具及びそれを用いた靴下、サポーター、足袋、靴中敷き、靴に関し、詳しくは、足の外側縦アーチの中央部（立方骨近傍）を適切に挙上（支持）することで、着用者の外側の足趾の使用を促し、起立時、歩行時における転倒等を防止することが可能な、立位時における足部主動筋及び足部骨格ユニットの改善用具及びそれを用いた靴下、サポーター、足袋、靴中敷き、靴に関する。
【背景技術】
【０００２】
人の足は第二の心臓とも言われており、従来より、足の動きのサポート、足の運動性能の向上、足へのフィット性の向上を目的とした靴下、サポーター、足袋、靴中敷き、靴が、多数開発されている。靴下、サポーター、足袋、靴中敷き、靴を着用した着用者の足に着目すると、足の土踏まずは、体への負担を軽減したり、人の歩行の動作を促したりするという大切な役割がある。
【０００３】
しかしながら、長年、足を使って起立したり、歩行したりしていると、当該足の土踏まずは落ち込んでしまい、地面（又は靴の底面）に当接する。この足の状態を扁平足と言う。土踏まずが地面に当接した状態で、人が歩行すると、歩行時に地面から受ける抵抗力が身体に直接掛かり、体への負担が増えるため、高い運動性能を発揮することが出来ないという問題がある。そこで、足の土踏まずを支持する、様々な靴下、靴中敷き、靴が開示されている。
【０００４】
例えば、特開２００６−２２５８３３号公報（特許文献１）には、高弾性領域と低弾性領域とを含む靴下であって、少なくとも土踏まず部を横切る領域と踵骨上方を横切る領域とを結ぶ一連の領域を前記高弾性領域で構成し、前記高弾性領域以外の領域を低弾性領域で構成したことを特徴とする靴下が開示されている。これにより、着用者の土踏まずを引き上げ、足のアーチの各種の機能性を高めることが可能となり、着用者の土踏まずと靴下のフィット感が向上するとしている。
【０００５】
又、登録実用新案第３０４９６４３号公報（特許文献２）には、特定の部位である第１乃至第２前縁部、第１乃至第２外側縁部、内側縁部及び後縁部で仕切られた縦長方向上方凸レンズ状曲面部を靴内底面に有することで、足部の内側縦アーチ、外側縦アーチ及び横アーチを支持可能にしたことを特徴とする靴が開示されている。これにより、足部のアーチ構造の異常を調整するだけでなく、足の運動軸に基づく足の機能補強をも図ることができるようになる。そのため、足部のアーチの回復による荷重関節の機械的ストレスの軽減、歩行、走行、立位保持の機能改善を図るだけでなく、足の機能補強をも達成できるようになるとしている。
【０００６】
又、特開２００５−２９６６０４号公報（特許文献３）には、靴の中底に重ね合わされることによって使用される一枚の略シート状の靴用中敷パッド及びこれを内部に取り付けた靴が開示されている。当該靴用中敷パッドは、相互に実質的に独立した状態で４つのパッド部が設けられた特徴的な構成を備え、前後の底パッド部で二つの横アーチが補助されていると共に、内外の横パッド部で脛、腓、両側の中足骨が足幅方向両側から支持されている。又、各パッド部とパッド部の間が薄肉部で湾曲可能とされている。これにより、歩行の際に、各パッド部が、靴や足の動的変化に追従するように変位乃至は変形されて、歩行支援に重要な部位とされる二つの横アーチや中足骨が効果的に補助され、靴のフィッティングや歩行支援が有利に実現されるとしている。
【０００７】
又、特開２００７−１７５５３２号公報（特許文献４）には、中敷きの足に接触する面に、足の骨格のアーチである内側縦アーチ、外側縦アーチを整える凸形状が施され、内側縦アーチを整える形状は、足裏形状にフィットする形状で、大きさは、幅が第１楔状骨内側から第３楔状骨外側程度で、長さが第１中足骨頭付近から踵骨の載距突起後方付近までで、高さが内側縦アーチを正常な形状に保つ程度で、位置としては前述した骨の下に位置している。又、外側縦アーチを整える形状は、足裏形状にフィットする形状で、大きさは、幅が第５中足骨底外側から第５中足骨底内側程度で、長さが第５中足骨底から踵骨中央付近までで、高さが外側縦アーチはやや小さめで、位置としては前述した骨の下に位置している。更に、これらの凸形状は互いに滑らかな曲面でつながっていることを特徴とする履き物用中敷きが開示されている。これにより、内側縦アーチの頂点を構成する舟状骨を中心として第１中足骨頭付近から踵骨の載距突起後方付近の下に、これを支える膨隆部を形成することによって、これが矯正または予防されるとしている。又、外側縦アーチを整える凸形状が施されているので、同時に他の部分の骨格の崩れが防止されるとしている。
【先行技術文献】
【特許文献】
【０００８】
【特許文献１】特開２００６−２２５８３３号公報
【特許文献２】登録実用新案第３０４９６４３号公報
【特許文献３】特開２００５−２９６６０４号公報
【特許文献４】特開２００７−１７５５３２号公報
【発明の概要】
【発明が解決しようとする課題】
【０００９】
ところで、人の足は、踵と前足部で体重を受けて、足の足趾を使って地面を掴んで、起立したり、歩行（又は走行）することが出来るようになっている。
【００１０】
例えば、人が適切に起立する場合、足の足趾で地面をしっかり掴むことで、外力が人に加わったとしても、簡単に転倒することなく起立した状態を保ち続けることが出来るのである。又、人が歩行（走行）する場合、足趾で地面をしっかり掴み、足趾を底屈させてから掴んだ地面を後方に強く蹴って踏み出す。これにより、大きな推進力が生まれ、人は適切に歩行（走行）することが出来るのである。
【００１１】
このように、足の足趾で地面を掴むように人が起立したり歩行したりしていると、人の起立姿勢や歩行姿勢も、元来の適切な起立姿勢、歩行姿勢となり易く、転倒しにくい体となる。
【００１２】
しかしながら、人が足に所定の履物を着用して起立したり歩行したりすると、足趾で地面を掴むことをしなくなる。そのため、当該履物により足趾の筋肉の退化を促すという問題がある。
【００１３】
上述した特許文献１に記載の技術では、靴下の着用者の土踏まずを高弾性領域により引き上げるものの、着用者の体重の大きさにより当該土踏まずが確実に引き上げられるか否か不明であり、足趾の使用を促すか否か不明であるという問題がある。
【００１４】
又、特許文献２に記載の技術では、足のアーチを構成する内側縦アーチ、外側縦アーチ、横アーチ全てを支持する構成であるものの、このような足のアーチの支持が、靴及び靴中敷きの着用者の足趾の使用を促すか否か不明であるという問題がある。
【００１５】
更に、特許文献３に記載の技術では、足の横アーチや中足骨が効果的に補助されるものの、靴用中敷きパッド及びこれを用いた靴の着用者の足趾の使用を促すか否か不明であるという問題がある。
【００１６】
そして、特許文献４に記載の技術では、第１中足骨頭付近から踵骨の載距突起後方付近までの領域を上方に押し上げるとともに、足の外側縦アーチを整えるものの、履き物用中敷きの着用者の足趾の使用を促すか不明であるという問題がある。
【００１７】
そこで、本発明は、前記問題を解決するためになされたものであり、足の外側縦アーチの中央部（立方骨近傍）を適切に挙上（支持）することで、着用者の外側の足趾の使用を促し、起立時、歩行時における転倒等を防止することが可能な、立位時における足部主動筋及び足部骨格ユニットの改善用具及びそれを用いた靴下、サポーター、足袋、靴中敷き、靴を提供するものである。
【課題を解決するための手段】
【００１８】
上述した課題を解決し、目的を達成するために、本発明に係る足ユニットの改善用具は、足の底面に配置される、立位時における足部主動筋及び足部骨格ユニットの改善用具である。当該改善用具は、足の第１中足骨の遠位部から第５中足骨の遠位部までを足幅方向に沿って横切る第１の弧状線と、踵骨の遠位部を足幅方向に沿って横切る第２の弧状線とで囲まれた領域に対面する部分を、地面から当該領域に向かって膨出させ、足根中足関節近傍を足幅方向に沿って横切る第３の弧状線と、横足根関節近傍を足幅方向に沿って横切る第４の弧状線とで囲まれた領域に対面する部分を、他の部分よりも膨出させた形状とし、当該部分を、平坦面で、且つ、前記膨出形状の最膨出面とし、前記膨出形状における前記第１の弧状線に沿った方向に直交する方向の断面形状を、断面の位置に関わらず当該膨出形状と同一形状に形成することで、着用者が本改善用具に足を乗せた場合に、当該着用者の足の立方骨近傍の底面における地面からの高さを、当該足の小指の腹部分、薬指の腹部分が地面に当接する高さに挙上して、前記足の外側縦アーチの骨格ユニットを屈曲状態とし、前記足の薬指、小指の使用を促すことを特徴とする。
【００１９】
これにより、着用者が足ユニットの改善用具に足を乗せれば、当該改善用具が、足の外側縦アーチをアーチユニットに則した状態で地面から上方に向かって支持（サポート）し、足の立方骨近傍の底面を所定（適正な）高さとなるまで挙上する。すると、足の外側縦アーチを構成する骨格ユニットが屈曲し、当該骨格ユニットの前方に位置する、足の小指の付根部分、小指の腹部分（小指の底面の膨らみ部分）、薬指の腹部分が自然に（又は強制的に）地面に当接することとなる。そのため、着用者の外側の足趾の使用を促し、着用者は、起立時又は歩行時において足の親指などの他に、薬指と小指を使って地面をしっかり掴むようになる。つまり、前述したように、所定の履物を履きなれた人は、起立時又は歩行時において足の内側に体重を掛け、足趾を使う意識を持てなかった。前記改善用具により、着用者に全ての足趾を使って地面を掴むことを促し、その結果、起立時、歩行時において、外力に抗して着用者の転倒やつまずき等を効果的に防止することが可能となる。尚、前記膨出形状は、例えば、略半楕円形状、略台形形状、凸形状が挙げられる。
【００２１】
又、前記改善用具は、前記膨出形状の最底面から最膨出面までの高さが、足の立方骨近傍の底面における地面からの高さを１．０ｍｍ−５．０ｍｍの範囲内の高さに挙上する高さである構成を採用することが出来る。
【００２２】
又、本発明は、前記改善用具を備えた靴下を提供することが出来る。
【００２３】
又、本発明は、前記改善用具を備えたサポーターを提供することが出来る。
【００２４】
又、本発明は、前記改善用具を備えた足袋を提供することが出来る。
【００２５】
又、本発明は、前記改善用具を備えた靴中敷きを提供することが出来る。
【００２６】
又、本発明は、前記改善用具を備えた靴を提供することが出来る。
【発明の効果】
【００２７】
本発明に係る足ユニットの改善用具及びそれを用いた靴下、サポーター、足袋、靴中敷き、靴によれば、足の外側縦アーチの中央部（立方骨近傍）を適切に挙上（支持）することで、着用者の外側の足趾の使用を促し、起立時、歩行時における転倒等を防止することが可能となる。
【図面の簡単な説明】
【００２８】
【図１】左足の骨の底面（裏面）を示す図（図１（Ａ））と、左足の骨の左側面を示す図（図１（Ｂ））と、左足の骨の右側面を示す図（図１（Ｃ））である。
【図２】本発明に係る足ユニットの改善用具を足裏に着用した際の足の底面を示す図（図２（Ａ））と、図２（Ａ）におけるＩ−Ｉ線断面図（図２（Ｂ））と、図２（Ａ）におけるＩＩ−ＩＩ線断面図（図２（Ｃ））と、図２（Ａ）におけるＩＩＩ−ＩＩＩ線断面図（図２（Ｄ））である。
【図３】本発明に係る足ユニットの改善用具を着用する前の左足の左側面を示す図（図３（Ａ））と、本発明に係る足ユニットの改善用具を着用する後の左足の左側面を示す図（図３（Ｂ））と、図３（Ａ）におけるＩＶ−ＩＶ線断面図（図３（Ｃ））と、図３（Ｂ）におけるＩＶ−ＩＶ線断面図（図３（Ｄ）である。
【図４】本発明に係る足ユニットの改善用具を着用する前の左足の右側面を示す図（図４（Ａ））と、本発明に係る足ユニットの改善用具を着用する後の左足の右側面を示す図（図４（Ｂ））である。
【図５】本発明に係る足ユニットの改善用具を備えた第一の靴下の底面を示す図（図５（Ａ））と、第一の靴下の左側面を示す図（図５（Ｂ））と、第一の靴下の右側面を示す図（図５（Ｃ））と、図５（Ａ）におけるＶ−Ｖ線断面図（図５（Ｄ）である。
【図６】本発明に係る足ユニットの改善用具を備えた第二の靴下の底面を示す図（図６（Ａ））と、第二の靴下の左側面を示す図（図６（Ｂ））と、第二の靴下の右側面を示す図（図６（Ｃ））と、図６（Ａ）におけるＶＩ−ＶＩ線断面図（図６（Ｄ）である。
【図７】本発明に係る足ユニットの改善用具を備えた靴中敷きの底面を示す図（図７（Ａ））と、靴中敷きの左側面を示す図（図７（Ｂ））と、靴中敷きの右側面を示す図（図７（Ｃ））と、図７（Ａ）におけるＶＩＩ−ＶＩＩ線断面図（図７（Ｄ）である。
【図８】本発明に係る足ユニットの改善用具を備えた靴の底面を示す図（図８（Ａ））と、靴の左側面を示す図（図８（Ｂ））と、靴の右側面を示す図（図８（Ｃ））と、図８（Ａ）におけるＶＩＩＩ−ＶＩＩＩ線断面図（図８（Ｄ）である。
【図９】比較例１に係る従来技術の足裏設置用具を足裏に着用した際の足の底面を示す図（図９（Ａ））と、従来技術の足裏設置用具の右側面図（図９（Ｂ））と、従来技術の足裏設置用具の左側面図（図９（Ｃ））と、従来技術の足裏設置用具の右側面図（図９（Ｂ））と、従来技術の足裏設置用具の正面図（図９（Ｄ））である。
【図１０】実施例１の靴下を着用した一の被験者が第一のパワーテストを実施した直後の側面視を示す写真（図１０（Ａ））と、実施例１の靴下を着用した一の被験者が第二のパワーテストを実施した直後の正面視を示す写真（図１０（Ｂ））と、比較例１の靴下を着用した一の被験者が第一のパワーテストを実施した直後の側面視を示す写真（図１０（Ｃ））と、比較例１の靴下を着用した一の被験者が第二のパワーテストを実施した直後の正面視を示す写真（図１０（Ｄ））である。
【図１１】筋電積分値を算出するための表面電極を取り付けた被験者の体の所定の箇所を示す図である。
【図１２】体の所定の箇所に取り付けた表面電極の電極番号における各動作毎の指標を示す棒グラフである。
【発明を実施するための形態】
【００２９】
以下、本発明の実施形態について、適宜図面を参照しながら詳細に説明する。尚、以下に示す図面の人の足の骨、足のアーチ、足ユニットの改善用具等は左足であるが、これが右足であっても実質的に差異はない。
【００３０】
＜人の足の骨と、足のアーチ及び足ユニットの改善用具＞
まず、人体の足の底面（裏面）の骨と、足のアーチの構造とについて説明する。
【００３１】
人体の足の裏の骨１は、図１（Ａ）に示すように、主として、足根骨２と、中足骨３と、趾骨４（指骨）とに区分される。前記足根骨２は、立方骨２１、舟状骨２２、踵骨２３、距骨２４、第１楔状骨２５−第３楔状骨２７の７個の骨から構成される。又、前記中足骨３は、第１中足骨３１−第５中足骨３５の５個の骨から構成される。更に、前記趾骨４は、親指の骨を構成する基節骨４１と末節骨４２、人差指の骨から小指の骨を構成する基節骨４３、中節骨４４、末節骨４５の１４個の骨から構成される。これらの骨が、多数の腱と筋肉とにより連結されることで、人体の足の裏となる。
【００３２】
又、親指の基節骨４１と第１中足骨３１との間には、第１中足趾節関節５１が存在し、人差指の基節骨４３と第２中足骨３２との間には、第２中足趾節関節５２が存在する。中指から小指までの基節骨４３と第２中足骨−第５中足骨３３−３５との間に、それぞれ第３中足趾節関節−第５中足趾節関節５３−５５が存在する。そして、中足骨３と足根骨２（第１楔状骨−第３楔状骨２５−２７、立方骨２１）との間に足根中足関節５６が存在し、立方骨２１及び舟状骨２２と、距骨２４及び踵骨２３との間に横足根関節５７が存在する。
【００３３】
更に、人体の足の底面には、上述した骨が、上述した多数の腱と筋肉によって上方（上面）に引き上げられて、３種類のアーチが形成されている。
【００３４】
先ず、図１（Ａ）、図１（Ｃ）に示すように、踵骨２３、距骨２４、舟状骨２２、第１楔状骨２５−第３楔状骨２７、第１中足骨３１−第３中足骨３３で構成され、舟状骨２２及び第１楔状骨２５付近を頂点とし、踵部分７１と親指の付根部分７２とを結んだアーチが内側縦アーチ６１という。
【００３５】
次に、図１（Ａ）、図１（Ｂ）に示すように、踵骨２３、立方骨２１、第４中足骨３４、第５中足骨３５で構成され、立方骨２１付近を頂点（中央部）とし、踵部分７１と小指の付根部分７３とを結んだアーチが外側縦アーチ６２という。
【００３６】
そして、図１（Ａ）、図１（Ｂ）に示すように、第１中足骨３１−第５中足骨３５、親指から小指までの基節骨４１、４３で構成され、第２中足骨３２から第３中足骨３３までの付近を頂点（中央部）とし、親指の付根部分７２と小指の付根部分７３とを結んだアーチが横アーチ６３という。尚、足の土踏まずＴは、図１（Ａ）に示すように、第１中足骨−第３中足骨３１−３３、第１楔状骨−第３楔状骨２５−２７に対応する半円形状の領域が、足の底面に向かって窪むことで、足の底面に形成される。前記３種類のアーチ６１−６３を構成する各骨をアーチユニットと称する。
【００３７】
上述した３種類のアーチ６１−６３は、人が起立、歩行、走行、運動する場合に、バネとして機能し、地面（底面）からの衝撃を緩和・吸収する機能を有する。特に、人が起立したり歩行したりする場合では、内側縦アーチ６１の頂点と、外側縦アーチ６２の頂点とは、地面に当接せず、内側縦アーチ６１の末端と、外側縦アーチ６２の末端、つまり、踵部分７１、親指の付根部分７２、小指の付根部分７３と、足趾５本の腹部分８１−８５（足趾の底面の膨らみ部分）が地面に当接することが好ましく、これに伴い、人の体重が適正に分散されるのである。特に、人の立位時又は歩行時において、足の底面の踵部分７１、親指の付根部分７２、小指の付根部分７３、全ての足趾の腹部分８１−８５の計８点で、人の体重を支持する状態が理想的である。
【００３８】
しかしながら、人は、前述のような靴等の履物を着用するようになって、足の内側に自己の体重を掛けるようになり、上述した内側縦アーチ６１の頂点及び土踏まずＴを地面（履き物の底面）にぴったり当接させた状態で、起立したり歩行したりするようになる。すると、内側縦アーチ６１の前端である親指の付根部分７２、親指の腹部分８１、人差指の腹部分８２などが地面に当接された状態となり、人は、起立時又は歩行時に足の親指や人差指しか使わなくなる（使えなくなる）。これが、足の外側の足趾の使用を阻害し、回内扁平（扁平足）を誘発する。回内扁平は、更に、外反母趾、開帳足、関節痛などを引き起こす。
【００３９】
そこで、本発明に係る足の底面に配置される、立位時における足部主動筋及び足部骨格ユニット（足ユニット）の改善用具ａは、図２（Ａ）、図２（Ｂ）、図２（Ｃ）、図２（Ｄ）に示すように、足の第１中足骨３１の遠位部から第５中足骨３５の遠位部までを足幅方向に沿って横切る第１の弧状線ａ１と、踵骨２４の遠位部を足幅方向に沿って横切る第２の弧状線ａ２とで囲まれた領域に対面する部分を、地面から当該領域に向かって膨出させている。遠位とは、体幹から遠い部位のことであり、図２では、前方又は先端に対応する。
【００４０】
更に、前記改善用具ａは、前記膨出形状における前記第１の弧状線ａ１に沿った方向に直交する方向の断面形状を、断面の位置に関わらず当該膨出形状と同一形状に形成している。ここで、前記膨出形状は、略半楕円形状である。
【００４１】
これにより、着用者が改善用具ａに足を乗せれば、当該改善用具ａが、足の外側縦アーチ６２をアーチユニットに則した状態で地面から、正面視で（前額面の方向から見て）で上方（天井）に向かって支持し、図３（Ｂ）、図３（Ｄ）、図４（Ｂ）に示すように、足の立方骨２１近傍の底面２１ａを所定の（適正な）高さｔに挙上する。前額面とは、立位時の身体を前後に切断する面で前方の面のことである。
【００４２】
ここで、足の立方骨２１近傍の底面２１ａは、丁度、外側縦アーチ６２の中央部６２ａの足の底面を含み、具体的には、第４中足骨３４と第５中足骨３５の近位部から立方骨２１を含み、踵骨２４の遠位部までの足の底面の特定の領域に対応する。近位とは、体幹から近い部位のことである。すると、足の小指の付根部分７３、小指の腹部分８５、薬指の腹部分８４が自然に（又は強制的に）地面に当接することとなる。その結果、前記改善用具ａは、着用者の外側の足趾の使用を促し、当該着用者は、起立時又は歩行時において足の親指などの他に、薬指と小指を使って地面をしっかり掴むようになるのである。
【００４３】
特に、起立時又は歩行時の人の足は、土踏まずＴが存在することから、図３（Ｃ）、図４（Ａ）に示すように、内側縦アーチ６１の中央部の足の底面が、外側縦アーチ６２の中央部６２ａの足の底面と比較して、地面から離れた状態であることが多い。これに対して、図３（Ａ）、図３（Ｃ）に示すように、立位時又は歩行時において外側縦アーチ６２が垂下して、外側縦アーチ６２の中央部６２ａの足の底面全体が地面にペタッと当接された状態であることが多い。言い換えると、外側縦アーチ６２を構成する骨格ユニット、つまり、第４中足骨３４、第５中足骨３５、立方骨２１、踵骨２３が前後方向に伸びきった状態であることが多い。この状態では、人が、外側縦アーチ６２の骨格ユニットが屈曲し難く、足趾（薬指と小指）を使って踏ん張る運動がし難く、立位時又は歩行時におけるバランスを保持したりすることがし難いのである。更に、上述した靴を履く習慣により、人が、足の内側（内側縦アーチ６１）に体重を掛けるようになれば、足の親指と人差指とを主動的に使用することとなり、外側の足趾の不使用を助長する。
【００４４】
そこで、上述した人に、本発明に係る足ユニットの改善用具ａを装着すれば、図３（Ａ）、図３（Ｃ）、図４（Ａ）に示す扁平足の人であっても、所定の高さｔ（厚さ）を有する足ユニットの改善用具ａが、着用者の足の立方骨２１近傍の底面２１ａ（外側縦アーチ６２の中央部６２ａの底面を含む）を適度に持ち上げる。図３（Ｂ）、図３（Ｄ）に示すように、着用者の足の立方骨２１近傍の底面２１ａが所定の高さｔまで挙上されれば、足の底面２１ａと足の立方骨２１との間の軟部組織２１ｂ（筋肉等）が多少圧縮するものの、当該軟部組織２１ｂが足の立方骨２１などを持ち上げ、当該立方骨２１近傍が僅かな高さｄ（例えば、０．７ｍｍ−１．０ｍｍなど）挙上される。つまり、着用前の外側縦アーチ６２の中央部６２ａの高さＨ１が、着用後の外側縦アーチの中央部６２ａの高さＨ２となる。すると、外側縦アーチ６２の骨格ユニットが屈曲状態となり、通常では屈曲し難い状態の足の薬指と小指が屈曲し易い状態となる。
【００４５】
又、前記内側縦アーチ６１を構成する骨格ユニット、つまり、距骨２４、舟状骨２２、第１楔状骨２５−第３楔状骨２７、第１中足骨３１−第３中足骨３３は、正面視で（前額面の方向から見て）、外側縦アーチ６２の骨格ユニットの上方に位置するようになっている。そのため、外側縦アーチ６２の立方骨２１近傍が挙上されると、当該外側縦アーチ６２の上に位置する内側縦アーチ６１の骨格ユニット、つまり、舟状骨２２、第１楔状骨２５−第３楔状骨２７なども自動的に僅かな高さ（例えば、０．５ｍｍなど）挙上される。例えば、図３（Ｄ）に示すように、舟状骨２２の位置が、足ユニットの改善用具ａを着用する前の舟状骨２２の位置と比較すると、少しだけ挙上されていることが理解される。
【００４６】
又、外側縦アーチ６２の立方骨２１近傍の底面２１ａの挙上により、外側の足趾（薬指、小指）の使用が促されることで、内側縦アーチ６１が支持する体重が、外側縦アーチ６２に少しでも移る。そのため、内側縦アーチ６１、土踏まずＴに掛かっていた体重が減少し、外側縦アーチ６２とともに内側縦アーチ６１が、元来のアーチユニットに即した状態となる。つまり、アーチが復活する。その結果、着用者に足趾で地面を掴む感覚がよみがえり、人は５本全ての足趾を使った、理想的な立位、歩行をすることが可能となるのである。これは、着用者に対して、起立時又は歩行時で踏ん張りを利かすことを可能とし、外力に抗して転倒やつまずき等を効果的に防止することを可能とする。
【００４７】
尚、前記膨出形状における前記第１の弧状線ａ１に沿った方向に直交する方向の断面形状は、前記足ユニットの改善用具ａの中央部から前後の足軸方向の両端縁に向かって厚みが漸減するように滑らかな曲線を描くと好ましいが、着用者に違和感を生まない範囲であれば、略台形状や、前記改善用具ａの中央部から前後の足軸方向の両端縁に向かって厚みが段階的に減少する凸形状に形成しても構わない。
【００４８】
ところで、前記改善用具ａは、足の立方骨２１近傍の底面２１ａのみを挙上するように、足の立方骨２１近傍の底面２１ａに対面する部分のみを膨出する構成も考えられるが、以下の理由により当該構成は実用的でない場合がある。即ち、足の底面は、足の他の皮膚と比較して敏感であるため、仮に、足の立方骨２１近傍の底面２１ａに対面する部分のみを膨出する構成とすると、当該立方骨２１に隣接する舟状骨２２、第１楔状骨−第３楔状骨２５−２７などの底面には、当該膨出形状が当接しないことになる。すると、着用者は、足の立方骨２１近傍の底面２１ａのみにサポート感を感じ、舟状骨２２近傍の底面には何も感じないこととなり、足の底面の感触が不均等で、足の底面に著しく違和感を感じることになる。そのため、上述した構成とすると、上述した作用・効果が多少なり発揮されるものの、商品としては実用的でない可能性が高い。
【００４９】
さて、前記改善用具ａが、足の立方骨２１近傍の底面２１ａにおける地面からの所定の高さｔは、着用者の外側縦アーチ６２の高低（アーチ形状）によるものの、着用者が違和感を感じない程度の高さから、心地よいサポート感を感じる程度の高さまでの範囲であると好ましい。更に、前記改善用具ａの材質は、当該改善用具ａが足の立方骨２１近傍の底面２１ａにおける地面からの高さを所定の高さｔに挙上するのであれば、弾性材を用いても可撓性材を用いても構わない。つまり、着用前の前記改善用具ａの高さｔ０は、当該改善用具ａの材質、着用者の体重、着用者の足の軟部組織の厚さなどに応じて、任意に設計しても構わない。
【００５０】
例えば、前記改善用具ａの材質を弾性とする場合、人が当該改善用具ａを着用すると人の体重により当該改善用具ａが弾性変形するため、当該変形を考慮して、着用前における当該改善用具ａの所定の高さｔ０は、足の立方骨２１近傍の底面２１ａを挙上したい所定の高さｔよりも高く設計される。又、前記改善用具ａの材質を可撓性とする場合、人が当該改善用具ａを着用したとしても当該改善用具ａは殆ど変形しないため、当該改善用具ａの所定の高さｔ０は、足の立方骨２１近傍の底面２１ａを挙上したい所定の高さｔと同等に設計される。
【００５１】
又、前記改善用具ａは、前記第１の弧状線ａ１と前記第２の弧状線ａ２とで囲まれた領域に対面する部分を膨出させた形状であれば、いずれの部分が他の部分より膨出されても、外側縦アーチ６２を元来のアーチユニットに即した状態とするが、下記に示す構成であると更に好ましい。即ち、前記改善用具ａは、図２（Ａ）−図２（Ｄ）に示すように、前記膨出形状が、足根中足関節５６近傍部を足幅方向に沿って横切る第３の弧状線ａ３と、横足根関節５７近傍部を足幅方向に沿って横切る第４の弧状線ａ４とで囲まれた領域に対面する部分ａｓを、他の部分よりも膨出させた形状であると好ましい。これにより、足の立方骨２１近傍の底面２１ａ、つまり、足の外側縦アーチ６２の中央部６２ａが確実に挙上されるとともに、足の内側縦アーチ６１の中央部も挙上され、第１中足骨−第５中足骨３１−３５が、丁度、放射状に広がるように配置される。そのため、各中足骨３１−３５の前方に位置する各足趾の腹部分８１−８５が地面に対して均等に当接され、着用者の各足趾の使用を適切に促すことが可能となる。
【００５２】
尚、第３の弧状線ａ３と第４の弧状線ａ４とで囲まれた領域に対面する部分ａｓが、他の部分より滑らかな面（平坦面）で、且つ、前記膨出形状の最膨出面であると、好ましい。
【００５３】
又、前記改善用具ａにおける前記膨出形状の最底面ａ５から最膨出面（例えば、図２（Ａ）に示す最膨出面ａｓ）までの高さｔが、足の立方骨２１近傍の底面２１ａにおける地面からの高さを１．０ｍｍ−５．０ｍｍの範囲内の高さに挙上する高さであると、好ましい。これにより、着用者の各足趾の使用を確実に促すだけでなく、前記改善用具ａの着用者の足の底面に、心地よい僅かなサポート感を与えるとともに、当該改善用具ａの長期使用を可能とする。
【００５４】
例えば、足の大きさ（長さ）が２５．０ｃｍ（標準的なサイズ）である日本人男性において、内側縦アーチ６１と外側縦アーチ６２とがともに極端に垂下した人、つまり、扁平足の人に用いられる改善用具ａであれば、前記膨出形状の最底面ａ５から最膨出面ａｓまでの高さｔが、足の立方骨２１近傍の底面２１ａにおける地面からの高さを１．０ｍｍ−２．５ｍｍの範囲内の高さに挙上する高さであると、好ましい。又、平均的な足の人に用いられる改善用具ａである場合、前記膨出形状の最底面ａ５から最膨出面ａｓまでの高さｔが、足の立方骨２１近傍の底面２１ａにおける地面からの高さを２．０ｍｍ−３．５ｍｍの範囲内の高さに挙上する高さであると、好ましい。更に、内側縦アーチ６１と外側縦アーチ６２とが極端に高い人、つまり、ハイアーチの人に用いられる改善用具ａである場合、前記膨出形状の最底面ａ５から最膨出面ａｓまでの高さｔが、足の立方骨２１近傍の底面２１ａにおける地面からの高さを３．０ｍｍ−５．０ｍｍの範囲内の高さに挙上する高さであると、好ましい。
【００５５】
尚、足の底面は、上述したように、足の他の皮膚と比較して敏感であるため、前記改善用具ａの高さｔ０が低過ぎて、当該改善用具ａの装着時で、足の立方骨２１近傍の底面２１ａにおける地面からの高さｔが、あまりにも低すぎると、足の外側の足趾の使用を促さない場合がある。又、当該高さｔが高すぎると、つまり、足の立方骨２１近傍の底面２１ａを挙上し過ぎると、着用者が抵抗ある不快感を感じるとともに、足の外側の足趾の使用を促さない場合がある。
【００５６】
又、前記足ユニットの改善用具ａは、以下に示すように、靴下、サポーター、足袋、靴中敷き、靴などに用いられるが、人が素足の状態で、人の足の底面の所定の位置に直接貼り付けたり、巻き付けたりするよう構成しても構わない。
【００５７】
＜足ユニットの改善用具を用いた靴下＞
本発明の足ユニットの改善用具ａを用いた靴下は、本発明の目的を阻害しない限り、特に限定はないが、上述した改善用具ａを用いた靴下の実施形態を、図面を参照しながら詳細に説明する。
【００５８】
前記靴下９は、図５（Ａ）、図５（Ｂ）、図５（Ｃ）、図５（Ｄ）に示すように、底面の足のサイズに対応したサイズの足ユニットの改善用具ａが、靴下９の底面９１に取り付け（縫い付け）られている。当該改善用具ａを、靴下９の底面９１の特定の位置に取り付ける場合、例えば、靴下９の底面９１の先端部９２、又は後端部９３を基準として、前記改善用具ａの前端部が、靴下９を着用した足の第１中足骨３１の遠位近傍部から第５中足骨３５の遠位近傍部までを足幅方向に沿って横切る第１の弧状線ａ１に対応するとともに、前記改善用具ａの後端部が、靴下９を着用した足の踵骨２３の遠位近傍部を足幅方向に沿って横切る第２の弧状線ａ２に対応するように取り付ける。
【００５９】
これにより、足ユニットの改善用具ａが取り付けられた靴下を人が着用すれば、着用者の足の底面の特定の位置に当該改善用具ａが適切に配置されることとなる。そのため、上述したように、当該改善用具ａが、着用者の足の立方骨２１近傍の底面２１ａにおける地面からの高さを、所定の高さｔに挙上し、着用者の足の小指の付根部分７３、小指の腹部分８５、薬指の腹部分８４を確実に靴下の底面に当接させることが可能となる。
【００６０】
又、取り付けられた足ユニットの改善用具ａの足幅方向の両端部（右端部ａ７、左端部ａ６）は、靴下９を着用した着用者の足の足幅方向の両端部（右端部、左端部）よりも所定の幅だけ（ヒレのように）延出されており、図５（Ｄ）に示すように、足幅方向の両端の延出部ａ６、ａ７が、着用者の足の底面から、足の足幅方向の両側面の一部に当接するように構成されている。これにより、人が、前記改善用具ａを備えた靴下９を着用して、立位したり、歩き回ったり、走り回ったりしても、当該改善用具ａが足の底面の特定の位置に固定され、当該改善用具ａが捩じれて特定の位置から外れてしまうことを防止する。
【００６１】
尚、靴下９に足ユニットの改善用具ａを取り付ける方法は、特に限定されるものではなく、例えば、糸による縫い付けの他に、両面粘着テープによる取り付け、接着剤による取り付け、面ファスナーによる取り付け等の公知の方法が採用される。
【００６２】
ところで、図５（Ａ）、図５（Ｂ）、図５（Ｃ）、図５（Ｄ）に示した靴下９は、通常の靴下であるが、縫い付けられる足ユニットの改善用具ａは所定の形状を有し、靴下９及び靴下９の足首部に設けられたバンド部９２は弾性を有しているため、着用前の靴下９は、当該改善用具ａが靴下９内部で嵩張り、人が当該靴下９を履き難い場合がある。従って、前記改善用具ａを用いた靴下９は、適宜、特定の部位を削除する構成としても構わない。
【００６３】
例えば、図６（Ａ）、図６（Ｂ）、図６（Ｃ）、図６（Ｄ）に示すように、前記靴下９から、各足趾の付根部分から各足趾の先端部までに対応する靴下の第一の部位１０１を削除するとともに、足の上面の第１楔状骨−第３楔状骨２５−２７、舟状骨２２、立方骨２１の上面に対応する靴下の第二の部位１０２を削除する。当該構成とすると、人が、図６（Ａ）、図６（Ｂ）、図６（Ｃ）、図６（Ｄ）に示す靴下９を履いた際に、削除された第一の部位１０１、第二の部位１０２を介して、手の指先を靴下９の内部に入れることが可能となり、当該靴下９の足ユニットの改善用具ａの位置を特定の位置に適切に調整することが可能となる。又、当該靴下９を着用すれば、着用者の各足趾の付根部分から各足趾の先端部まで当該靴下９の第一の部位１０１から露出されるため、着用者の各足趾の使用を更に促すことが可能となる。
【００６４】
尚、本発明に係る足ユニットの改善用具ａを用いた靴下９は、図５、図６に示すように、足首までの丈の靴下を示したが、丈の長さは、これに限定されるものではない。
【００６５】
又、本発明の足ユニットの改善用具ａは、靴下９に代えて、足の所定の部位を矯正するサポーター（足用サポーター）に採用しても構わない。当該サポーターは、例えば、足の先端から足首までの部位のうち、足の底面の外側縦アーチ６２をサポートするサポーターであれば、当該底面に対面する位置に足ユニットの改善用具ａを取り付けることで、当該足ユニットの改善用具ａの作用・効果を得ることが可能となる。
【００６６】
又、本発明の足ユニットの改善用具ａは、靴下９に代えて、足の二つの足趾（例えば、親指と人差指）の間に切れ込みが入った足袋に採用しても構わない。当該足袋には、例えば、着物用の足袋、業務用の地下足袋、祭事用の地下足袋、安全用の地下足袋等が挙げられる。
【００６７】
又、本発明の足ユニットの改善用具ａは、当該改善用具ａの材質（弾性、可撓性）に拠るものの、靴下９に代えて、足部を覆う繊維製のストッキング、パンティストッキング、スポーツ用タイツ、業務用タイツ等に採用しても構わない。
【００６８】
＜足ユニットの改善用具を用いた靴中敷き＞
本発明の足ユニットの改善用具ａを用いた靴中敷き（インソール）は、本発明の目的を阻害しない限り、特に限定はないが、上述した改善用具ａを用いた靴中敷きの実施形態を、図面を参照しながら詳細に説明する。
【００６９】
前記靴中敷き１１は、図７（Ａ）、図７（Ｂ）、図７（Ｃ）、図７（Ｄ）に示すように、所定の足のサイズの靴内の底面に載置される形状を有し、靴中敷き１１の足のサイズに対応したサイズの足ユニットの改善用具ａが靴中敷き１１の底面１１１に取り付けられている。取り付け方法は、上述した靴下９と同様である。
【００７０】
これにより、足ユニットの改善用具ａが取り付けられた靴中敷き１１を人が着用すれば、当該改善用具ａの作用・効果を得ることが可能となる。
【００７１】
尚、前記靴下９の場合は、改善用具ａの足幅方向の両端部ａ６、ａ７を延出するよう構成したが、靴中敷き１１の場合は、上述した延出部ａ６、ａ７を設けても、設けなくても構わない。
【００７２】
又、図７に示す靴中敷き１１は、足ユニットの改善用具ａと別個に形成されているが、当該改善用具ａと一体として形成されていても構わない。又、靴中敷き１１の材質は、本発明の目的を阻害しない限り、特に限定はないが、例えば、弾性ポリウレタン、ＥＶＡ（エチレン酢酸ビニル共重合体）等の合成樹脂、ゴム、エラストマー、コルク等が採用される。
【００７３】
＜足ユニットの改善用具を用いた靴＞
本発明の足ユニットの改善用具ａを用いた靴は、本発明の目的を阻害しない限り、特に限定はないが、上述した改善用具ａを用いた靴の実施形態を、図面を参照しながら詳細に説明する。
【００７４】
前記靴１２は、図８（Ａ）、図８（Ｂ）、図８（Ｃ）、図８（Ｄ）に示すように、男性用の靴であり、靴１２の足のサイズに対応したサイズの足ユニットの改善用具ａが靴１２の底面１２１に取り付けられている。取り付け方法は、上述した靴下９と同様である。
【００７５】
これにより、足ユニットの改善用具ａが取り付けられた靴１２を人が着用すれば、当該改善用具ａの作用・効果を得ることが可能となる。
【００７６】
尚、前記靴下９の場合は、改善用具ａの足幅方向の両端部ａ６、ａ７を延出するよう構成したが、靴１２の場合は、上述した延出部ａ６、ａ７を設けても、設けなくても構わない。
【００７７】
又、図８に示す靴１２は、足ユニットの改善用具ａと別個に形成されているが、当該改善用具ａと一体として形成されていても構わない。又、靴１２は、本発明の目的を阻害しない限り、どのような形態でもよく、例えば、スポーツシューズ、ウォーキングシューズ、革靴、ゴム靴、布靴、ズック靴、カジュアルシューズ、スニーカー、ビジネスシューズ、ケミカル・シューズ、長靴、雨用長靴、サンダル、ミュール、女性用ハイヒール、スリッパ、雪駄、下駄、草履等の各種の靴（履物）に適用可能である。
【００７８】
＜実施例、比較例、試験等＞
以下に本発明の実施例１−５、比較例１、参考例について説明するが、本発明は、その適用が本実施例１−５に限定されるものでない。
【００７９】
（実施例１）
図２に示した本発明に係る足ユニットの改善用具ａを作成し、図５に示した当該改善用具ａを備える靴下を実施例１とした。当該改善用具ａは、以下の手順にて作成した。先ず、適当な厚みのポリエステル系の硬い不織布（フェルト）から、左足の底面の第１の弧状線８ａと、第２の弧状線８ｂとで囲まれた領域に対応する形状を切り取り、足ユニットの改善用具ａを成形した。次に、成形した改善用具ａを左足の底面に当てて、左足の底面の第３の弧状線８ｃと、第４の弧状線８ｄとで囲まれた領域に対面する部分が、他の部分よりも膨出させた形状となるように成形し、図２に示す足ユニットの改善用具ａを所定の靴下に縫い付けて、図５に示す当該靴下を、本発明の実施例１とした。尚、右足についても同様の足ユニットの改善用具及び靴下を作成した。実施例１に係る足ユニットの改善用具ａの膨出形状の最底面から最膨出面までの高さは、３．０ｍｍである。
【００８０】
（実施例２）
実施例１において、３．０ｍｍである前記膨出形状の最底面から最膨出面までの高さに代えて、５．０ｍｍとしたこと以外は、実施例１と同様の手順を採用して、足ユニットの改善用具及び靴下を作成した。作成した足ユニットの改善用具及び靴下を実施例２とした。
【００８１】
（実施例３）
実施例１において、３．０ｍｍである前記膨出形状の最底面から最膨出面までの高さに代えて、１．０ｍｍとしたこと以外は、実施例１と同様の手順を採用して、足ユニットの改善用具及び靴下を作成した。作成した足ユニットの改善用具及び靴下を実施例３とした。
【００８２】
（実施例４）
実施例１において、３．０ｍｍである前記膨出形状の最底面から最膨出面までの高さに代えて、６．０ｍｍとしたこと以外は、実施例１と同様の手順を採用して、足ユニットの改善用具及び靴下を作成した。作成した足ユニットの改善用具及び靴下を実施例４とした。
【００８３】
（実施例５）
実施例１において、３．０ｍｍである前記膨出形状の最底面から最膨出面までの高さに代えて、０．５ｍｍとしたこと以外は、実施例１と同様の手順を採用して、足ユニットの改善用具及び靴下を作成した。作成した足ユニットの改善用具及び靴下を実施例５とした。
【００８４】
（比較例１）
適当な厚みのポリエステル系の硬い不織布（フェルト）から、図１（Ａ）、図９（Ａ）に示すように、足の土踏まずＴの部分（即ち、左足の底面の第１中足骨−第３中足骨３１−３３、第１楔状骨−第３楔状骨２５−２７、舟状骨２２の一部に当接する部分）に対応する形状を切り取り、図９（Ａ）、図９（Ｂ）、図９（Ｃ）、図９（Ｄ）に示すように、左足の底面の土踏まずＴに向かって膨出させた足裏設置用具９０を作成した。尚、右足についても同様の足裏設置用具を作成した。作成した足裏設置用具９０を、実施例１と同様に、所定の靴下に縫い付けて、当該靴下を、本発明の比較例１とした。比較例１に係る足裏設置用具の形状は、市販の靴中敷き、靴下に取り付けられている足裏設置用具の形状として良く見られる形状である。比較例１に係る足裏設置用具の最底面から最膨出面までの高さは、１０．０ｍｍである。
【００８５】
（参考例）
前記改善用具（又は前記足裏設置用具）を用いず、素足のままを参考例とした。
【００８６】
（２種類のパワーテスト）
実施例１−５、比較例１の左右の靴下を左右の足に着用した後に、着用者に任意のタイミングで外部から所定の負荷を掛けて、着用者が自己のバランスを崩すか否かの試験（パワーテスト）を２種類実施した。被験者は、足のサイズが２５．０ｃｍ−２７．０ｃｍである健康な男性２０名である。
【００８７】
第一のパワーテストは、以下の手順で実施した。先ず、被験者の足に所定の靴下を着用してもらい、被験者を起立した状態となってもらう。この状態を、３０秒、保持してもらった後に、被験者に、自己の片腕を前方に持ち上げてもらい、当該片腕が被験者の体の軸に対して直角となるように保持してもらう。次に、被験者の直角に保持した片手の傍に、所定重量（７ｋｇ）の荷物（例えば、ダンベル）を持ったサポート役を置いて、当該サポート役が荷物を持った状態で、被験者が前記直角に保持した片手で当該荷物を軽く（負荷の掛からない程度に）持ってもらう。そして、任意のタイミング（例えば、サポート役の合図後、１０秒以内の任意のタイミング）で、サポート役が、荷物を離し、当該荷物分だけ被験者の片腕に負荷を掛け、被験者がバランスを崩すか否かを評価した。評価は、以下に示す３段階で行なった。
【００８８】
○：片腕がほぼ垂下することなく直角を維持していた。
【００８９】
△：やや前方に片腕が下がったがバランスを崩すまでに至らなかった。
【００９０】
×：被験者の踵部が浮いて、バランスを崩し、前方に一歩踏み出してしまった。
【００９１】
第一のパワーテストの結果は、以下の手順で算出した。先ず、所定の被験者に、素足の状態で、第一のパワーテストを実施し、その後に、同一の被験者に、実施例１−５、比較例１に対応する所定の靴下を着用してもらって、第一のパワーテストを実施した。実施した被験者の人数は、例えば、１０人である。ここで、素足の状態での第一のパワーテストの結果を第一の参考結果とし、所定の靴下を着用した後の第一のパワーテストの結果を第一の試験結果とした。
【００９２】
次に、前記被験者と異なる被験者に、所定の靴下を着用してもらい、第一のパワーテストを実施し、その後に、同一の被験者に、素足の状態で、第一のパワーテストを実施した。実施した被験者の人数は、例えば、２０人のうち、残りの１０人である。ここで、所定の靴下を着用した後の第一のパワーテストの結果を第二の試験結果とし、素足の状態での第一のパワーテストの結果を第二の参考結果とした。
【００９３】
そして、第一の参考結果と第二の参考結果とを集計したものを、参考例における第一のパワーテストの結果とし、第一の試験結果と第二の試験結果とを集計したものを、実施例１−５、比較例１に対応するそれぞれの第一のパワーテストの結果とした。尚、後述する試験の結果も、同様の方法により算出した。
【００９４】
次に、第二のパワーテストは、以下の手順で実施した。先ず、被験者の足に所定の靴下を着用してもらい、被験者を起立した状態となってもらう。この状態を、３０秒、保持してもらった後に、被験者に、自己の両腕を両側面に付けた状態となってもらう。そして、側面に付けた被験者の一方の腕の掌の傍らに、所定の重量（２０ｋｇ−３０ｋｇ）の荷物（例えば、ダンベル）を持ったサポート役を置いて、当該サポート役が荷物を持った状態で、被験者が片腕の掌で当該荷物を軽く持ってもらう。そして、任意のタイミング（例えば、サポート役の合図後、１０秒以内の任意のタイミング）で、サポート役が、荷物を離し、当該荷物分だけ被験者の片腕の掌に負荷を掛け、被験者がバランスを崩すか否かを評価した。評価は、以下に示す３段階で行なった。
【００９５】
○：ほぼバランスを崩さなかった。
【００９６】
△：やや荷物側に傾いたがバランスを崩すまでに至らなかった。
【００９７】
×：被験者の荷物を持つ片腕の反対側の足の踵部が浮いて、バランスを崩し、荷物側に一歩踏み出してしまった。
【００９８】
いずれのパワーテストでも、被験者が足の外側の足趾を使って地面を掴み、荷物の重量に抗して起立した状態を保つことが出来るか否かを評価することが出来る試験である。
【００９９】
（握力計による握力測定試験）
被験者に、素足のままで、起立した状態となってもらい、市販の握力計を用いて被験者の左右の掌の握力を測定した。次に、被験者に、実施例１−５、比較例１の左右の靴下を左右の足に着用し、被験者に起立した状態となってもらい、この状態を、３０秒、保持してもらった。その後に、前記握力計を用いて、被験者の左右の掌の握力を測定した。握力の結果は、左右で平均して算出した。そして、靴下着用後の握力から前記靴下着用前の握力を減算した握力差を算出し、握力差を算出した。
【０１００】
ここで、前記握力測定試験は、上述したように、所定数の被験者（例えば、１０人）において、最初、素足のままの状態での握力測定結果（第一の参考結果）と、素足から前記靴下を着用した状態での握力測定結果（第一の試験結果）とを測定し、他の残り数の被験者（例えば、残りの１０人）において、最初、所定の靴下を着用した状態での握力測定結果（第二の参考結果）と、当該靴下を脱いだ後の素足のままの状態での握力測定結果（第二の試験結果）とを測定した。そして、第一の参考結果と第一の試験結果とに基づいて算出した握力差と、第二の参考結果と第二の試験結果とに基づいて算出した握力差とを集計したものを、握力計による握力測定試験の結果とした。当該試験結果により、被験者が足の外側の足趾を用いて踏ん張ることが出来るか否かを評価した。評価は、以下に示す３段階で行なった。
【０１０１】
○：平均の握力差が＋４．０ｋｇＵＰした。
【０１０２】
△：平均の握力差が＋１．０ｋｇ以上であり、＋４．０ｋｇ以下でＵＰした。
【０１０３】
×：平均の握力差が＋１．０ｋｇ未満であった（マイナスの握力差を含む）。
【０１０４】
（官能試験）
被験者に、実施例１−５、比較例１の左右の靴下を左右の足に着用してもらい、被験者に起立した状態となってもらう。この状態を、３０秒、保持してもらった後に、被験者に、１分間、周囲を自由に歩き回ってもらい、その後、被験者に、当該靴下の着用により、異物感があるか否かの回答を求め、当該回答に基づいて評価をした。
【０１０５】
尚、試験結果は、上述したように、所定数の被験者には、最初、素足のままの状態での官能試験結果（第一の参考結果）と、素足から所定靴下を着用した状態での官能試験結果（第一の試験結果）とを採取し、他の残りの数の被験者には、最初、所定の靴下を着用した状態での官能試験結果（第二の試験結果）と、当該靴下を脱いだ後の素足のままの状態での官能試験結果（第二の参考結果）とを採取した。そして、第一の参考結果と第二の参考結果とを集計したものを、参考例における官能試験結果とし、第一の試験結果と第二の試験結果とを集計したものを、実施例１−５、比較例１に対応するそれぞれの官能試験結果とした。
【０１０６】
評価は、以下に示す３段階で行なった。
【０１０７】
Ａ：異物感を全く感じなかった。
【０１０８】
Ｂ：異物感はあるが、気にならない、心地の良いサポート感を感じた。
【０１０９】
Ｃ：抵抗のある、不快な異物感を感じた。
【０１１０】
尚、官能試験の評価基準として、異物感はあるが、気にならない、心地の良いサポート感を感じる評価Ｂは、被験者の足の立方骨２１近傍の底面２１ａを適切に挙上していると推察され、最も好ましい。次に、異物感を全く感じない評価Ａは、被験者の足の立方骨２１近傍の底面２１ａを挙上しているか否か不明な場合があり、効果が小さいものと推察される。そして、抵抗のある、不快な異物感を感じる評価Ｃは、被験者の足の立方骨２１近傍の底面２１ａを挙上し過ぎており、長期使用には不向きであることが推察される。
【０１１１】
（試験結果）
実施例１−５、比較例１の足ユニットの改善用具における上述した試験の結果を以下の表１に示した。結果は、３段階評価の個数を百分率（％）で示した。
【０１１２】
【表１】
0005152814.tif 000002
【０１１３】
図１０（Ａ）は、実施例１の靴下を着用した一の被験者が第一のパワーテストを実施している状態の側面視を示す写真であり、図１０（Ｂ）は、実施例１の靴下を着用した一の被験者が第二のパワーテストを実施している状態の正面視を示す写真である。図１０（Ａ）、図１０（Ｂ）に示すように、実施例１の靴下では、２種類のパワーテストにおいて当該被験者が殆どバランスを崩すことが無かった。表１において明らかなように、大多数の被験者においても同様であった。又、実施例１の靴下では、握力計による握力測定試験において平均の握力差が大きかった。更に、官能試験において被験者が殆ど不快な異物感を感じることが無く、心地よいサポート感を感じていることが理解される。そのため、実施例１の靴下は、被験者の足趾の使用を自然に促し、被験者に自己の足趾で地面を掴ませ、転倒を防止することが出来ることが理解される。もちろん、実施例１の靴下を着用した着用者が歩行（走行）する場合も、外側の足趾で地面を掴むようになるから、歩行時における転倒、つまずきも防止することが出来ると推察される。
【０１１４】
又、実施例２、３の靴下では、比較例１の靴下と比較して、２種類のパワーテストにおいて被験者がバランスを崩し難かったことが理解される。更に、握力測定試験において平均の握力差が大きかった。そして、官能試験において被験者が心地よいサポート感を感じやすかったことが理解される。
【０１１５】
又、実施例４、５の靴下では、２種類のパワーテストにおいて被験者が聊かバランスを崩す場合があったものの、全体としてバランスを崩し難かったことが理解される。更に、筋力測定方法において平均の握力差が小さい場合もあるものの、全体として平均の握力差が大きかった。そして、官能試験において、実施例４の靴下では、被験者が抵抗ある異物感を感じる場合があり、実施例５の靴下では、被験者が何も感じない場合があったが、両者ともに、全体として、被験者が気持ちの良いサポート感を感じ易い割合が高いことが理解される。これは、被験者の外側縦アーチの高低にバラツキがあるためと推察される。
【０１１６】
図１０（Ｃ）は、比較例１の靴下を着用した一の被験者が第一のパワーテストを実施した直後の側面視を示す写真であり、図１０（Ｄ）は、比較例１の靴下を着用した一の被験者が第二のパワーテストを実施した直後の正面視を示す写真である。図１０（Ｃ）、図１０（Ｄ）に示すように、比較例１の靴下では、２種類のパワーテストにおいて被験者がバランスを崩したことが理解される。全ての被験者においても同様であった。更に、比較例１の靴下では、握力測定試験において平均の握力差が小さかった。そして、官能試験において、被験者の土踏まず（内側縦アーチ）の高さによるものの、被験者が異物感を感じる場合が多かった。このような結果は、被験者の内側縦アーチを挙上することにより、被験者は、足の内側に体重を優先的に掛け、足の内側の足趾を使うようになり、足の足趾を全て使わないためと推察される。つまり、従来から存在する比較例１の靴下では、被験者の外側の足趾の使用を殆ど促さないことが理解される。
【０１１７】
（表面電極を用いた筋電積分値の比較試験）
本発明に係る足ユニットの改善用具ａの有無における被験者の体の所定の箇所に取り付けた表面電極の筋電積分値を測定することで、当該被験者の筋負担を評価した。
【０１１８】
先ず、素足のままの状態の被験者の体の所定の箇所に、筋電を検出可能な表面電極を貼り付けて、当該被験者に、所定の動作をしてもらう。そして、当該動作に対応する筋電積分値（ｍＶ・ｓｅｃ）を算出し、これを単位時間当たりの筋電積分値（ｍＶ）に換算して、前記改善用具ａ無しの筋負担とした。
【０１１９】
次に、前記改善用具ａを備える実施例１の左右の靴下を、前記被験者の左右の足に着用してもらい、上述と同様の動作をしてもらう。そして、当該動作に対応する筋電積分値（ｍＶ・ｓｅｃ）を算出し、これを単位時間当たりの筋電積分値（ｍＶ）に換算して、前記改善用具ａ有りの筋負担とした。
【０１２０】
そして、前記改善用具ａ有りの筋負担（ｍＶ）から、前記改善用具ａ無しの筋負担（ｍＶ）を除算し、その値（−）を、筋負担の大小を示す指標（インソール有り／無しの比）として算出した。
【０１２１】
前記指標が、１よりも大きい場合には、実施例１の靴下を着用後の動作は、前記表面電極を付けた筋の負担が大きいと判定し、前記指標が、１よりも小さい場合には、実施例１の靴下を着用後の動作は、前記筋の負担が小さいと判定する。
【０１２２】
ここで、前記表面電極を貼り付けた体の所定の箇所は、図１１に示すように、正面の右足の母趾外転筋（電極番号１）と、正面の右足の前脛骨筋（電極番号２）と、正面の右足の親指と人差指との間の背側骨間筋（電極番号３）と、背面の右側の脊柱起立筋（電極番号４）と、正面の右足の大腿直筋（電極番号５）との合計５箇所である。
【０１２３】
又、前記動作は、体幹前傾動作（１）と、体幹後傾動作（２）と、片足立ち動作（３）と、歩行動作（４）と、椅子起立動作（５）と、椅子着席動作（６）と、荷物持ち上げ動作（７）との合計７種類である。
【０１２４】
具体的には、前記体幹前傾動作（１）は、立位姿勢から限界まで前傾し、当該立位姿勢に戻る動作であり、前記体幹後傾動作（２）は、立位姿勢から限界まで後傾し、当該立位姿勢に戻る動作である。又、前記片足立ち動作（３）は、閉眼した状態で、立位姿勢から左足を挙げて片足立ち姿勢となり、その状態から再び左足を下げて、当該立位姿勢に戻る動作であり、前記歩行動作（４）は、距離が３ｍである直線上を往復歩行する動作である。更に、前記椅子起立動作（５）は、所定の椅子に着座した着座位姿勢から起立し、立位姿勢となる動作であり、前記椅子着席動作（６）は、立位姿勢から所定の椅子に着座した着座位姿勢となる動作である。そして、前記荷物持ち上げ動作（７）は、立位姿勢で、予め床に置かれた約２０ｋｇの荷物の持ち手を右手で掴んで、その右手を上方に挙げることで、当該荷物を床から股まで持ち上げて静止する動作である。
【０１２５】
所定数（４人）の被験者のそれぞれに、上述した体の所定の箇所に前記表面電極を付けて、上述した動作をしてもらい、各被験者毎に前記指標を算出し、その平均値を算出した。
【０１２６】
図１２に示すように、母趾外転筋（電極番号１）に着目すると、体幹後傾動作（２）、片足立ち動作（３）については、前記指標が１よりも大きく、筋負担が大きいことが理解できる。これは、前記動作（２、３）が主として身体のバランスを積極的に取る必要のある動作であるため、前記改善用具ａが、被験者の足趾の使用（筋の負担）を自然に促したと推察される。
【０１２７】
次に、前脛骨筋（電極番号２）に着目すると、体幹前傾動作（１）、片足立ち動作（３）については、前記指標が１よりも大きく、筋負担が大きいことが理解できる。これは、前記動作（１、３）が上述のように身体のバランスを積極的に取る必要のある動作であるから、前記改善用具ａが、被験者の脚の筋を促したと推察される。一方、体幹後傾動作（２）、歩行動作（４）、椅子起立動作（５）、椅子着席動作（６）、荷物持ち上げ動作（７）については、前記指標が１よりも小さく、筋負担が小さいことが理解出来る。これは、前記改善用具ａが被験者の足趾の使用を促すことにより身体のバランスが安定したため、各動作（２、４−７）を容易に行うことが出来て、筋負担が小さくなったと推察される。
【０１２８】
又、背側骨間筋（電極番号３）に着目すると、体幹前傾動作（１）、体幹後傾動作（２）、片足立ち動作（３）、歩行動作（４）、椅子起立動作（５）については、前記指標が１よりも大きく、筋負担が大きいことが理解できる。これは、前記背側骨間筋（電極番号３）が、まさしく被験者の足のつま先を踏ん張るために必要な筋肉であり、前記改善用具ａが、前記被験者の足趾の使用を促し、当該被験者が、前記背側骨間筋に力をかけやすくなり、筋負担が大きくなったと推察される。
【０１２９】
又、脊柱起立筋（電極番号４）に着目すると、全ての動作（１−７）について、前記指標が１よりも小さく、筋負担が小さいことが理解できる。これは、前記改善用具ａにより被験者の足趾の使用を促し、身体のバランスが安定したため、腰部の筋負担が小さくなったと推察される。
【０１３０】
又、大腿直筋（電極番号５）に着目すると、体幹前傾動作（１）、体幹後傾動作（２）、片足立ち動作（３）については、前記指標が１よりも大きく、筋負担が大きいことが理解できる。これは、上述したように、前記動作（１−３）が身体のバランスを積極的に取る必要のある動作であるため、前記前脛骨筋（電極番号２）と同様に、前記改善用具ａが、被験者の脚の筋を促したと推察される。一方、歩行動作（４）、椅子起立動作（５）、椅子着席動作（６）、荷物持ち上げ動作（７）については、前記指標が１よりも小さく、筋負担が小さいことが理解できる。これは、前記前脛骨筋（電極番号２）と同様に、前記改善用具ａが被験者の足趾の使用を促すことにより身体のバランスが安定したため、各動作（４−７）を容易に行うことが出来て、筋負担が小さくなったと推察される。
【０１３１】
又、身体のバランスを積極的に取る必要がある片足立ち動作（３）に着目すると、前記脊柱起立筋（電極番号４）以外の筋肉、つまり、母趾外転筋（電極番号１）、前脛骨筋（電極番号２）、背側骨間筋（電極番号３）、大腿直筋（電極番号５）では、前記指標が１よりも大きいことが理解出来る。ここで、前記片足立ち動作（３）は、身体の重心のコントロールと、身体を支える力とを必要とするが、前記重心のコントロールには、足趾の筋である母趾外転筋（電極番号１）と背側骨間筋（電極番号３）とが使用され、前記身体を支える力には、前脛骨筋（電極番号２）と大腿直筋（電極番号５）とが使用される。今回の試験により、前記改善用具ａが、被験者の足趾の使用を促すとともに、所定の動作（３）に対応した筋の活動も促していると推察される。
【０１３２】
このような結果により、実施例１の靴下は、上述した動作（１−７）に対して、被験者の足趾の使用を自然に促し、被験者に自己の足趾で地面を掴ませ、身体のバランスを安定化するように作用することが推察される。
【０１３３】
このように、本発明の足ユニットの改善用具ａは、前記第１の弧状線ａ１と、前記第２の弧状線ａ２とで囲まれた領域に対面する部分を、地面から当該領域に向かって膨出させ、前記膨出形状における前記第１の弧状線ａ１に沿った方向に直交する方向の断面形状を、断面の位置に関わらず当該膨出形状と同一形状に形成することで、足の立方骨２１近傍の底面２１ａにおける地面からの高さを、所定の高さｔに挙上することを特徴とする。
【０１３４】
これにより、着用者が足ユニットの改善用具ａに足を乗せれば、当該改善用具ａが、足の外側縦アーチ６２をアーチユニットに則した状態で地面から上方に向かって支持し、足の立方骨２１近傍の底面２１ａを所定高さとなるまで挙上する。すると、足の外側縦アーチ６２を構成する骨格ユニットが屈曲し、足の小指の付根部分、小指の腹部分、薬指の腹部分が自然に（又は強制的に）地面に当接することとなる。そのため、着用者の外側の足趾の使用を促し、着用者は、起立時又は歩行時において足の親指などの他に、薬指と小指を使って地面をしっかり掴むようになる。その結果、起立時、歩行時において、外力に抗して着用者の転倒やつまずき等を効果的に防止することが可能となる。
【０１３５】
尚、本発明の実施形態では、前記膨出形状の、当該第１の弧状線ａ１に沿った方向に直交する断面形状を、例えば、略半楕円形状に形成したが、実施例１において足ユニットの改善用具ａの断面形状を凸形状に形成しても構わない。更に、当該断面形状を略台形状に形成しても、同一の作用効果を奏する。又、本発明は、上述した実施形態に限定されることなく、適宜、変更を行うことが可能であることは、言うまでもない。
【０１３６】
又、前記改善用具ａの材質は、どのような材質でも構わないが、例えば、弾性である場合、柔らかい不織布（フェルト）、柔らかい不織布を所定数だけ積層させた不織布積層体、厚い布、布を所定数だけ積層させた布積層体、発泡体、スポンジ、ゲル、エラストマー、ゴム等が任意に選択される。又、前記足ユニットの改善用具ａの材質が可撓性である場合、例えば、硬い不織布（フェルト）、硬い不織布を所定数だけ積層させた不織布積層体、ポリエチレンテレフタレート、ポリカーボネート、ＡＢＳ樹脂、ＥＶＡ樹脂、ポリプロピレン等の合成樹脂、天然樹脂等が採用される。
【産業上の利用可能性】
【０１３７】
以上のように、本発明に係る足ユニットの改善用具及びそれを用いた靴下、サポーター、足袋、靴中敷き、靴は、産業分野、医学分野、整体分野、家庭分野、スポーツ分野、学校分野等のあらゆる分野において使用される足ユニットの改善用具及びそれを用いた靴下、サポーター、足袋、靴中敷き、靴に有用であり、足の内側縦アーチの中央部（立方骨近傍）を適切に挙上（支持）することで、着用者の足趾の使用を促し、起立時、歩行時における転倒等を防止することが可能な足ユニットの改善用具及びそれを用いた靴下、サポーター、足袋、靴中敷き、靴として有効である。
【符号の説明】
【０１３８】
ａ  足ユニットの改善用具
９  靴下
１１  靴中敷き
１２  靴
【図１】
0005152814.tif 000003
【図２】
0005152814.tif 000004
【図３】
0005152814.tif 000005
【図４】
0005152814.tif 000006
【図５】
0005152814.tif 000007
【図６】
0005152814.tif 000008
【図７】
0005152814.tif 000009
【図８】
0005152814.tif 000010
【図９】
0005152814.tif 000011
【図１０】
0005152814.tif 000012
【図１１】
0005152814.tif 000013
【図１２】
0005152814.tif 000014